(57)【特許請求の範囲】
【請求項１】
遊技盤の裏側にその全体を覆うよう配設されると共に窓開口を有し、前記遊技盤裏面との間に球寄せ空間を形成し、前記球寄せ空間の下方部には前記窓開口の下端縁に沿って入賞球を集合させる入賞球集合通路を設けてなり、更に、前記入賞球集合通路を集合通路部材として分離したパチンコ機の機構板において、
前記集合通路部材は合成樹脂材からなり、鉛直に起立する後側壁の前面下端縁に沿って底壁を設けて形成され、前記集合通路部材と前記機構板とに複数の係止部又は被係止部をそれぞれ対応させて設け、また、前記後側壁の上端縁両側に先端に係止段部が設けられる保持片を前方へ水平に突設すると共に該後側壁の上端縁中央に前方へ水平に突設される間隔保持片を設け、一方、前記機構板には、前記各保持片に対応位置して切欠凹部を設け、前記係止部及び被係止部を互いに係止させることにより、前記各保持片先端の係止段部が前記各切欠凹部に係止すると共に前記間隔保持片が前記機構板の後面に当接するようにして前記集合通路部材が前記機構板に対して着脱自在に取着されるようにしたことを特徴とするパチンコ機の機構板。
【発明の詳細な説明】
【０００１】
【産業上の利用分野】
本発明は、機構板の下部に設けられた入賞球集合通路を集合通路部材として分離したパチンコ機の機構板に関するものである。
【０００２】
【従来の技術】
従来、パチンコ機の遊技盤裏側にその全体を覆うと共に、遊技盤の裏面との間に球寄せ空間を形成した機構板が配設されており、該機構板には球寄せ空間の下方部に入賞球を集合させて入賞球処理装置へ送るための入賞球集合通路が設けられている。ところで、該入賞球集合通路を集合通路部材として機構板とは分離しているパチンコ機がある。
【０００３】
【発明が解決しようとする課題】
しかるに、前記集合通路部材は機構板に対して複数個所をビス止めすることにより取着しているので、多くの時間と手間を要し、取付作業が面倒であるばかりか引いては製作コストを高くするといった課題が有った。また、前記入賞球集合通路の内面に入賞球表面の手垢，ゴミ等が付着して入賞球の流れを阻害したり、時として球ずまりを起す危険性が有ることから、定期的に内面を掃除する必要が有る。しかし、機構板に取着されたままで入賞球集合通路の内面を掃除することは電気配線など多くの裏機構部品が邪魔になって困難であり、仮にビスを逐一取外して行うとその作業が大掛りになり、この対策に苦慮していた。
【０００４】
そこで、本発明は上記課題を解決すべくなされたもので、入賞球集合通路を形成する集合通路部材を機構板にビスを一切使用することなく取着できるようにしてその取付作業の簡略化及び作業性の向上を実現し、また着脱自在に取着できるようにして、入賞球集合通路内面の掃除も簡単かつ容易に行なえるようにしたパチンコ機の機構板を提供することを目的とする。
【０００５】
【課題を解決するための手段】
かかる目的を達成するため、本発明のパチンコ機は、遊技盤の裏側にその全体を覆うよう配設されると共に窓開口を有し、前記遊技盤裏面との間に球寄せ空間を形成し、前記球寄せ空間の下方部には前記窓開口の下端縁に沿って入賞球を集合させる入賞球集合通路を設けてなり、更に、前記入賞球集合通路を集合通路部材として分離したパチンコ機の機構板において、前記集合通路部材は合成樹脂材からなり、鉛直に起立する後側壁の前面下端縁に沿って底壁を設けて形成され、前記集合通路部材と前記機構板とに複数の係止部又は被係止部をそれぞれ対応させて設け、また、前記後側壁の上端縁両側に先端に係止段部が設けられる保持片を前方へ水平に突設すると共に該後側壁の上端縁中央に前方へ水平に突設される間隔保持片を設け、一方、前記機構板には、前記各保持片に対応位置して切欠凹部を設け、前記係止部及び被係止部を互いに係止させることにより、前記各保持片先端の係止段部が前記各切欠凹部に係止すると共に前記間隔保持片が前記機構板の後面に当接するようにして前記集合通路部材が前記機構板に対して着脱自在に取着されるようにした構成からなる。
【０００６】
【作用】
対応して設けられた複数の係止部と被係止部とを互いに係止させることにより、集合通路部材が機構板にビス止めすることなく簡単に取着され、これにより取付作業の簡略化及び作業性の向上が図られる。また、集合通路部材が着脱自在に設けられることから、簡単に取り外しできその内面の掃除も容易に行い得る。
【０００７】
【実施例】
以下本発明に係るパチンコ機の機構板の一実施例を図面に基づき説明する。図１，図２はそれぞれ遊技盤Ａの裏側にその全体を覆うように配設される機構板を示す。該機構板１は合成樹脂材料からなり、その中央に大型の窓開口２が開設され、前面には図１に示すように遊技盤Ａの裏面から一定間隔を保持させて入賞球を寄せる球寄せ空間３が形成されている。また、図２に示すように機構板１の裏面には、景品球を貯留する景品球タンク４、その下方に位置する導出樋５、該導出樋５から導かれる景品球を払い出す景品球払出装置６、入賞球を処理する入賞球処理装置７等の一連の裏機構部品が装着される。
【０００８】
しかして、機構板１における前記球寄せ空間３の下方部には窓開口２の下端縁に沿って入賞球を集合させ入賞球処理装置７へ送るための入賞球集合通路８が設けられている。本実施例では、この入賞球集合通路８が図３に示すように入賞球によって異なる数の景品球を払い出すことができるように２条の第１・第２入賞球集合通路８ａ，８ｂから成っている。そして、前側に位置する第１入賞球集合通路８ａは、遊技盤Ａの裏面に当る鉛直な前側壁９と、該前側壁９からパチンコ球の直径より若干幅の広い間隔を離して立設され、かつ機構板１と一体に形成される中間壁１０と、右端に向って緩く下方へ傾斜する底壁１１とにより囲われて形成され、底壁１１の流下端に入賞球処理装置７に入賞球を送るための連絡口１２が開設されている。
【０００９】
また、後側に位置する第２入賞球集合通路８ｂは、中間壁１０と集合通路部材１３とにより囲われて形成される。該集合通路部材１３は合成樹脂材料により形成されるが機構板１とは分離して形成されており、図４に示すように鉛直に起立する後側壁１４の前面下端縁に沿って、前記底壁１１と同じ傾斜を持たせた底壁１５が設けられ、その流下端に前記と同様入賞球処理装置７と連通する連絡口１６が開設されている。また、流下端側の底壁１５前側縁に後側壁１４と平行をなし、かつパチンコ球の直径と略同じ間隔を保持した規制板１７が配置されている。該規制板１７は、後側壁１４の前面に設けられた支持枠１８に取り付けられるようになっており、底壁１５上面を流下する入賞球を球ずまりを起こさぬよう一列に整列して流出させるためのものである。
【００１０】
そして、後側壁１４の上端縁両側に、係止部として先端に係止段部１９ａ，１９ａを有する保持片１９，１９が前方へ水平に突設され、また下端縁中央に、係止部として下端に係止爪２１を有する掛止片２０及び前方へ水平に突出する係止片２２、並びに被係止部として前後端面が開口する支持筒部２３がそれぞれ設けられている。更に、集合通路部材１３の右側端面には、被係止部として規制板１７から後方へ突出する受止片２４が設けられ、更にまた右側端面には被係止部として窪状の係止凹部２５が設けられている。
【００１１】
なお、後側壁１４の上端縁中央には前方へ水平に突設する間隔保持片２６が設けられている。該間隔保持片２６は集合通路部材１３を取り付けた際、中間壁１０の後面にその先端が当接して第２入賞球集合通路８ｂの横幅が無用に狭くならないようにしている。
【００１２】
一方、機構板１には、中間壁１０の上端縁両側に被係止部としての切欠凹部２７，２７が設けられており、また窓開口２の右内側縁下部に図３に示すように集合通路部材１３の高さ寸法と同じ間隔を隔て、しかも中間壁１０の後面から集合通路部材１３の横幅と同じ間隔を隔ててそれぞれ被係止部としての受止片２４ａ，２４ａが設けられ、またその略中間位置には係止部としての係止片２２ａが設けられている。また、中間壁１０の下端縁中央には被係止部としての掛止杆２８及び底壁１１の下方に係止部として後方へ突出するピン２９が設けられている。更に、窓開口２の左内側縁には係止部としての突起３０が設けられている。
【００１３】
本発明に係るパチンコ機の機構板は上記構成からなり、次に集合通路部材１３の取付方法を説明する。まず、図５に示すように集合通路部材１３を中間壁１０の前面に押し当て、窓開口２の右側縁側へ押圧することにより、後側壁１４の係止部である右側端縁の上・下隅角部１４ａ，１４ｂを受止片２４ａ，２４ａに係止すると共に、右側端面の受止片２４に係止片２２ａを係止する。前記上隅角部１４ａには受止片２４ａに当る突子１４１ａが設けられている。
【００１４】
また、図６に示すように底壁１５下面の係止片２２を第１入賞球集合通路８ａの底壁１１下面に係止させると共に、図７に示すように掛止片２０の係止爪２１を掛止杆２８に係止させる。更に、図８に示すように後側壁１４の左側端縁に設けられた係止凹部２５に突起３０を係合させる。これにより、集合通路部材１３が機構板１に取り付けられ、第２入賞球集合通路８ｂが形成される。この際、上端縁両側の保持片１９，１９先端の係止段部１９ａ，１９ａが中間壁１０の上端縁両側に設けた切欠凹部２７，２７に係止され、更にピン２９が支持筒部２３に嵌入するので、位置がしっかりと決まり保形性に優れている。また、集合通路部材１３は合成樹脂材料により形成されているので、その弾力性を利用して前記各係止部と被係止部との係止を解き簡単に取り外しができ、これにより機構板１への着脱が自在に行なえる。
【００１５】
【発明の効果】
以上述べたように、本発明に係るパチンコ機の機構板は、集合通路部材を機構板に対し係止部と被係止部との係止により取着できるようにしたので、その取り付けにビスが一切不要となり、またこれにより取付作業の簡略化及び作業性の向上が実現され、しかも、製造コストも低廉になし得る。また、集合通路部材が容易に着脱できることから、該集合通路部材の内面を掃除するに簡単に取り外しできるので、その作業も容易に行なえるという効果を有する。
【図面の簡単な説明】
【図１】  機構板の前側から見た斜視図。
【図２】  同裏側から見た斜視図。
【図３】  機構板の要部の斜視図。
【図４】  入賞球集合通路を取り外した状態を示す機構板の要部の斜視図。
【図５】  図３のＷ−Ｗ線断面図。
【図６】  図３のＸ−Ｘ線断面図。
【図７】  図３のＹ−Ｙ線断面図。
【図８】  図３のＺ−Ｚ線断面図。
【符号の説明】
１              機構板
２              窓開口
３              球寄せ空間
８              入賞球集合通路
１３            集合通路部材
１４ａ，１４ｂ  上・下隅角部（係止部）
１９            保持片（係止部）
１９ａ          係止段部
２０            掛止片（係止部）
２２，２２ａ    係止片（係止部）
２３            支持筒部（被係止部）
２４，２４ａ    受止片（被係止部）
２５            係止凹部（被係止部）
２６            間隔保持片
２７            切欠凹部（被係止部）
２８            掛止杆（被係止部）
２９            ピン（係止部）
３０            突起（係止部）
Ａ              遊技盤
【図１】
0003678767.tif 000002
【図２】
0003678767.tif 000003
【図３】
0003678767.tif 000004
【図４】
0003678767.tif 000005
【図５】
0003678767.tif 000006
【図６】
0003678767.tif 000007
【図７】
0003678767.tif 000008
【図８】
0003678767.tif 000009